(57)【要約】  底面パネル（１０）と、底面パネル（１０）をカバーするパネルフレーム（２０）と、パネルフレーム（２０）に取り付けられ、且つパネルフレーム（２０）の前にあり、少なくとも一部がパネルフレーム（２０）に取り外し可能に接続されている電気制御ボックス（３０）と、パネルフレーム（２０）の前を開き可能に被覆し、電気制御ボックス（３０）が前後に正対するパネル（４０）と、を含む、空気調和機（１００）。【選択図】図１
2021535348.tif 000002
【特許請求の範囲】
【請求項１】
底面パネルと、
前記底面パネルをカバーするパネルフレームと、
前記パネルフレームに取り付けられ、且つ前記パネルフレームの前にあり、少なくとも一部が前記パネルフレームに取り外し可能に接続されている電気制御ボックスと、
前記パネルフレームの前を開き可能に被覆し、且つ電気制御ボックスが前後に正対するパネルと、を含む、
ことを特徴とする空気調和機。
【請求項２】
前記電気制御ボックスの全体は、前記パネルフレームに取り外し可能に取り付けられている、
ことを特徴とする請求項１に記載の空気調和機。
【請求項３】
前記電気制御ボックスの上端は、前記パネルフレームの前の上側に挿着され、前記電気制御ボックスの下端に、前記パネルフレームの前の下側の前面に重ね接続されている第１の重ね接続部が設けられ、前記第１の重ね接続部は前記パネルフレームに取り外し可能に接続されている、
ことを特徴とする請求項２に記載の空気調和機。
【請求項４】
前記電気制御ボックスは、前記パネルフレームの左右方向に沿う少なくとも一つの端部に設けられ、前記電気制御ボックスに、前記パネルフレームの対応する端部の前面に重ね接続される第２の重ね接続部が設けられ、前記第２の重ね接続部は、前記パネルフレームに取り外し可能に接続されている、
ことを特徴とする請求項２に記載の空気調和機。
【請求項５】
前記パネルフレームの前に、開口部を有し、前記電気制御ボックスの少なくとも一部が前記開口部内に取り外し可能に設けられている、
ことを特徴とする請求項２〜４のいずれか一項に記載の空気調和機。
【請求項６】
前記電気制御ボックスは、本体及び蓋を含み、前記本体内に、前方が開放して電気制御板の配置に適する収容キャビティが形成され、前記蓋は前記本体の開放側を開き可能にカバーする、
ことを特徴とする請求項１に記載の空気調和機。
【請求項７】
前記蓋は、反転可能又は取り外し可能に前記本体に相互接続されている、
ことを特徴とする請求項６に記載の空気調和機。
【請求項８】
前記本体は、第１のインナーケース及び第１の板金部材を含み、前記第１のインナーケースの外側を前記第１の板金部材が被覆し、且つ前記第１の板金部材が前記第１のインナーケースに固定して接続され又は取り外し可能に接続され、又は、
前記蓋は、第２のインナーケース及び第２の板金部材を含み、前記第２のインナーケースの外側を前記第２の板金部材が被覆し、且つ前記第２の板金部材が前記第２のインナーケースに固定して接続され又は取り外し可能に接続されている、
ことを特徴とする請求項６に記載の空気調和機。
【請求項９】
前記パネルフレームは、前記底面パネルに取り外し可能に接続されている、
ことを特徴とする請求項１に記載の空気調和機。
【請求項１０】
前記パネルは、回転可能又は反転可能に前記パネルフレームに相互接続されている、
ことを特徴とする請求項１に記載の空気調和機。
【請求項１１】
前記パネルフレームに後ろへ凹んでいる重ね接続溝を有し、
前記電気制御ボックスは、内部に前記電気制御ボックスの内部空間を連通させる通線溝を有するとともに、前記重ね接続溝内に嵌設されている通線部を含む、
ことを特徴とする請求項１に記載の空気調和機。
【請求項１２】
前記パネルは、前記パネルフレームにヒンジ接続されている、
ことを特徴とする請求項１に記載の空気調和機。
【請求項１３】
前記電気制御ボックスは、
開口を有し、且つ第１の接続面を有する第１のインナーケースと、
前記開口を開閉するように前記第１のインナーケースと取り外し可能に接続され、且つ前記第１の接続面と結合する第２の接続面を有する第２のインナーケースと、を含み、
前記第１のインナーケースと前記第２のインナーケースの一方は、他方の内部に伸びる止水部を有し、前記止水部は、前記第１の接続面と前記第２の接続面との結合部位の内側にある、
ことを特徴とする請求項１に記載の空気調和機。
【請求項１４】
前記第２のインナーケースは、前記第１のインナーケースに向かって延在する折り返し部を有し、前記止水部は前記折り返し部の内側に設けられ、且つ前記止水部と前記折り返し部とが相対して配置されている、
ことを特徴とする請求項１３に記載の空気調和機。
【請求項１５】
前記折り返し部の端面は、前記第２の接続面として形成される、
ことを特徴とする請求項１４に記載の空気調和機。
【請求項１６】
前記止水部は、前記開口に隣接して設置され、前記第１の接続面は前記止水部の外側に設けられ、且つ前記止水部の端面より低い、
ことを特徴とする請求項１４に記載の空気調和機。
【請求項１７】
前記折り返し部と前記止水部とが間隔をおいて設置されている、
ことを特徴とする請求項１４に記載の空気調和機。
【請求項１８】
前記折り返し部の延在方向において、前記折り返し部と前記止水部との重ね部分の長さが１ミリメートル以上である、
ことを特徴とする請求項１４に記載の空気調和機。
【請求項１９】
前記止水部は、前記開口の縁部の延在方向に沿って配向される、
ことを特徴とする請求項１３〜１８のいずれか一項に記載の空気調和機。
【請求項２０】
前記電気制御ボックスは、さらに、
前記第１のインナーケースの外側をカバーするように設置され、且つ前記第１のインナーケースに接続されている第１の板金部材と、
前記第２のインナーケースの外側をカバーするように設置され、且つ前記第２のインナーケースに接続されている第２の板金部材とを含み、
前記第２の板金部材は、前記第１の板金部材に向かって延在する遮蔽部を有し、前記遮蔽部は、前記第１の接続面と前記第２の接続面との結合部位に跨る、
ことを特徴とする請求項１３〜１８のいずれか一項に記載の空気調和機。
【請求項２１】
前記第１のインナーケースと前記第１の板金部材とは係合され、及び／又は、前記第２のインナーケースと前記第２の板金部材とは係合されている、
ことを特徴とする請求項２０に記載の空気調和機。
【請求項２２】
前記第１のインナーケースと前記第１の板金部材の一方は第１の留め具を有し、且つ他方は前記第１の留め具と嵌合する第１の係止孔を有し、及び／又は、前記第２のインナーケースと前記第２の板金部材の一方は第２の留め具を有し、且つ他方は前記第２の留め具と嵌合する第２の係止孔を有する、
ことを特徴とする請求項２０に記載の空気調和機。
【請求項２３】
前記第１のインナーケースと前記第１の板金部材の一方は第１の挿入スロットを有し、且つ他方は前記第１の挿入スロットと嵌合する第１の挿着部を有することにより、前記第１の板金部材を前記第１のインナーケースに密着させ、及び／又は、前記第２のインナーケースと前記第２の板金部材の一方は第２の挿入スロットを有し、且つ他方は前記第２の挿入スロットと嵌合する第２の挿着部を有することにより、前記第２の板金部材を前記第２のインナーケースに密着させる、
ことを特徴とする請求項２０に記載の空気調和機。
【請求項２４】
内部に取り付けキャビティが設けられているハウジングと、
前記取り付けキャビティ内に設けられている室内熱交換器と、
前記取り付けキャビティ内に設けられている室内ファンと、
前記取り付けキャビティ内に設けられ、且つ前記室内ファンの軸側にある請求項１３〜２３のいずれか一項に記載の電気制御ボックスと、を含む、
ことを特徴とする請求項１３に記載の空気調和機。
【請求項２５】
前記電気制御ボックスは、前記室内熱交換器の一方側にあり、且つ前記電気制御ボックスの、前記室内熱交換器に近接する側が前記室内熱交換器の形状にマッチングする、
ことを特徴とする請求項２４に記載の空気調和機。
【発明の詳細な説明】
【関連出願の相互参照】
【０００１】
本願は、出願番号が２０１９２１０６３１２６．８、出願日が２０１９年０７月０８日の中国特許出願、及び出願番号が２０１９２１０５８４０４．０、出願日が２０１９年０７月０８日の中国特許出願に基づいて提出され、且つ上記中国特許出願の優先権を主張し、上記中国特許出願の全ての内容が引用により本願に組み込まれる。
【技術分野】
【０００２】
本願は空気調節の技術分野に関し、具体的には空気調和機に関する。
【背景技術】
【０００３】
関連技術において、電気制御ボックスはパネルフレームの下方にあり、電気制御板に対して取り付け又はメンテナンス操作を行う場合、パネルを開け、パネルフレームを取り外してから電気制御ボックスを操作することができる。また、一部の機種はパネルフレームの右側に、電気制御板を取り出すことができる大径ホールが開けられ、大径ホールもカバープレートで封止されるため、電気制御ボックスを操作する必要がある場合、カバープレートを先に取り外す必要もあり、操作が繁雑である。
【発明の概要】
【発明が解決しようとする課題】
【０００４】
本願は、少なくとも一定程度で関連技術に存在する技術的課題の一つを解決することを目的とする。このため、本願は、電気制御ボックスを容易に着脱する空気調和機を提供することを一つの目的とする。
【課題を解決するための手段】
【０００５】
本願実施例に係る空気調和機によれば、底面パネルと、前記底面パネルをカバーするパネルフレームと、前記パネルフレームに取り付けられ、且つ前記パネルフレームの前にあり、少なくとも一部が前記パネルフレームに取り外し可能に接続されている電気制御ボックスと、前記パネルフレームの前を開き可能に被覆し、且つ電気制御ボックスが前後に正対するパネルと、を含む。
【０００６】
本願実施例に係る空気調和機によれば、パネルフレームの前面に電気制御ボックスが取り付けられ、電気制御ボックスの少なくとも一部がパネルフレームに取り外し可能に接続され、且つパネルと電気制御ボックスとが前後に正対するため、電気制御ボックスをメンテナンスしやすい。
【０００７】
また、本願の上記実施例に係る空気調和機は、さらに下記付加的技術的特徴を備える。
【０００８】
本願の一実施例によれば、前記電気制御ボックスの全体は、前記パネルフレームに取り外し可能に取り付けられている。
【０００９】
本願の一実施例によれば、前記電気制御ボックスの上端は、前記パネルフレームの前の上側に挿着され、前記電気制御ボックスの下端に、前記パネルフレームの前の下側の前面に重ね接続されている第１の重ね接続部が設けられ、前記第１の重ね接続部は前記パネルフレームに取り外し可能に接続されている。
【００１０】
本願の一実施例によれば、前記電気制御ボックスは、前記パネルフレームの左右方向に沿う少なくとも一つの端部に設けられ、前記電気制御ボックスに、前記パネルフレームの対応する端部の前面に重ね接続される第２の重ね接続部が設けられ、前記第２の重ね接続部は、前記パネルフレームに取り外し可能に接続されている。
【００１１】
本願の一実施例によれば、前記パネルフレームの前に、開口部を有し、前記電気制御ボックスの少なくとも一部が前記開口部内に取り外し可能に設けられている。
【００１２】
本願の一実施例によれば、前記電気制御ボックスは、本体及び蓋を含み、前記本体内に、前方が開放して電気制御板の配置に適する収容キャビティが形成され、前記蓋は前記本体の開放側を開き可能にカバーする。
【００１３】
本願の一実施例によれば、前記蓋は、反転可能又は取り外し可能に前記本体に相互接続されている。
【００１４】
本願の一実施例によれば、前記本体は、第１のインナーケース及び第１の板金部材を含み、前記第１のインナーケースの外側を前記第１の板金部材が被覆し、且つ前記第１の板金部材が前記第１のインナーケースに固定して接続され又は取り外し可能に接続され、又は、前記蓋は、第２のインナーケース及び第２の板金部材を含み、前記第２のインナーケースの外側を前記第２の板金部材が被覆し、且つ前記第２の板金部材が前記第２のインナーケースに固定して接続され又は取り外し可能に接続されている。
【００１５】
本願の一実施例によれば、前記パネルフレームは、前記底面パネルに取り外し可能に接続されている。
【００１６】
本願の一実施例によれば、前記パネルは、回転可能又は反転可能に前記パネルフレームに相互接続されている。
【００１７】
本願の一実施例によれば、前記パネルフレームに後ろへ凹んでいる重ね接続溝を有し、前記電気制御ボックスは、内部に前記電気制御ボックスの内部空間を連通させる通線溝を有するとともに、前記重ね接続溝内に嵌設されている通線部を含む。
【００１８】
本願の一実施例によれば、前記パネルは前記パネルフレームにヒンジ接続されている。
【００１９】
本願の別の実施例によれば、前記電気制御ボックスは、開口を有し、且つ第１の接続面を有する第１のインナーケースと、前記開口を開閉するように前記第１のインナーケースと取り外し可能に接続され、且つ前記第１の接続面と結合する第２の接続面を有する第２のインナーケースと、を含み、前記第１のインナーケースと前記第２のインナーケースの一方は、他方の内部に伸びる止水部を有し、前記止水部は、前記第１の接続面と前記第２の接続面との結合部位の内側にある。
【００２０】
本願の一実施例によれば、前記第２のインナーケースは、前記第１のインナーケースに向かって延在する折り返し部を有し、前記止水部は、前記折り返し部の内側に設けられ、且つ前記止水部と前記折り返し部とが相対して配置されている。
【００２１】
本願の一実施例によれば、前記折り返し部の端面は、前記第２の接続面として形成される。
【００２２】
本願の一実施例によれば、前記止水部は、前記開口に隣接して設置され、前記第１の接続面は前記止水部の外側に設けられ、且つ前記止水部の端面より低い。
【００２３】
本願の一実施例によれば、前記折り返し部と前記止水部とが間隔をおいて設置されている。
【００２４】
本願の一実施例によれば、前記折り返し部の延在方向において、前記折り返し部と前記止水部との重ね部分の長さが１ミリメートル以上である。
【００２５】
本願の一実施例によれば、前記止水部は、前記開口の縁部の延在方向に沿って配向される。
【００２６】
本願の一実施例によれば、前記電気制御ボックスは、前記第１のインナーケースの外側をカバーするように設置され、且つ前記第１のインナーケースに接続されている第１の板金部材と、前記第２のインナーケースの外側をカバーするように設置され、且つ前記第２のインナーケースに接続されている第２の板金部材と、をさらに含み、前記第２の板金部材は、前記第１の板金部材に向かって延在する遮蔽部を有し、前記遮蔽部は、前記第１の接続面と前記第２の接続面との結合部位に跨る。
【００２７】
本願の一実施例によれば、前記第１のインナーケースと前記第１の板金部材は係合され、及び／又は、前記第２のインナーケースと前記第２の板金部材は係合されている。
【００２８】
本願の一実施例によれば、前記第１のインナーケースと前記第１の板金部材の一方は第１の留め具を有し、且つ他方は前記第１の留め具と嵌合する第１の係止孔を有し、及び／又は、前記第２のインナーケースと前記第２の板金部材の一方は第２の留め具を有し、且つ他方は前記第２の留め具と嵌合する第２の係止孔を有する。
【００２９】
本願の一実施例によれば、前記第１のインナーケースと前記第１の板金部材の一方は第１の挿入スロットを有し、且つ他方は前記第１の挿入スロットと嵌合する第１の挿着部を有することにより、前記第１の板金部材を前記第１のインナーケースに密着させ、及び／又は、前記第２のインナーケースと前記第２の板金部材の一方は第２の挿入スロットを有し、且つ他方は前記第２の挿入スロットと嵌合する第２の挿着部を有することにより、前記第２の板金部材を前記第２のインナーケースに密着させる。
【００３０】
本願の一実施例によれば、内部に取り付けキャビティが設けられているハウジングと、前記取り付けキャビティ内に設けられている室内熱交換器と、前記取り付けキャビティ内に設けられている室内ファンと、前記取り付けキャビティ内に設けられ、且つ前記室内ファンの軸側にある電気制御ボックスと、を含む。
【００３１】
本願の一実施例によれば、前記電気制御ボックスは、前記室内熱交換器の一方側にあり、且つ前記電気制御ボックスの、前記室内熱交換器に近接する側が前記室内熱交換器の形状にマッチングする。
【００３２】
以下に、本願の付加態様及び利点の一部を説明し、他の一部が以下の説明から明らかになるか、又は本願の実践によって把握することができる。
【図面の簡単な説明】
【００３３】
以下の図面と組み合わせて実施例を説明することにより、本願の上記及び／又は付加態様並びに利点が明らか且つ容易に理解されるようになる。
【図１】本願の一実施例に係る空気調和機の斜視図である。
【図２】図１におけるＡ箇所の拡大図である。
【図３】本願の一実施例に係る空気調和機の構造概略図である。
【図４】本願の一実施例に係る空気調和機の構造概略図である。
【図５】本願の一実施例に係る空気調和機の部分構造概略図である。
【図６】本願の一実施例に係る空気調和機の部分構造概略図である。
【図７】本願の一実施例に係る電気制御ボックスとパネルフレームとの接続関係の概略図である。
【図８】本願の一実施例に係る電気制御ボックスとパネルフレームとの接続関係の概略図である。
【図９】本願の一実施例に係る電気制御ボックスの構造概略図である。
【図１０】本願の一実施例に係る電気制御ボックスの分解図である。
【図１１】本願の一実施例に係る電気制御ボックスの分解図である。
【図１２】本願の一実施例に係る本体と電気制御板との接続関係の概略図である。
【図１３】図１２におけるＢ箇所の拡大図である。
【図１４】本願のいくつかの実施例に係る電気制御ボックスの構造概略図である。
【図１５】本願のいくつかの実施例に係る電気制御ボックスの蓋の構造概略図である。
【図１６】本願のいくつかの実施例に係る電気制御ボックスの第２のインナーケースの構造概略図である。
【図１７】本願のいくつかの実施例に係る電気制御ボックスの本体の構造概略図である。
【図１８】本願のいくつかの実施例に係る電気制御ボックスの断面図である。
【図１９】図１８におけるＤ箇所の拡大図である。
【図２０】図１８におけるＥ箇所の拡大図である。
【発明を実施するための形態】
【００３４】
以下に、本願の実施例を詳しく説明し、前記実施例の例示は図面に示されており、そのうち同じ又は同様の記号は始めから終わりまで同じ又は同様の素子又は同じ又は同様の機能を有する素子を表す。以下に図面を参照して説明する実施例は例示的なものであり、本願を説明することを目的とし、本願を限定するものとして理解されるべきではない。
【００３５】
以下に、図１〜図１３を参照して本願実施例に係る空気調和機１００を説明する。
【００３６】
本願に記載の上下、左右及び前後という方向は図１、図３、図４、図６及び図９に示すとおりである。「左」、「右」、「前」、「後」、「上」、「下」などの用語で指示される方位又は位置関係は図面に基づく方位又は位置関係であり、本願を容易且つ簡略的に説明するためのものに過ぎず、対象となった装置又は素子が必ず所定の方位を有し、所定の方位で構成され及び操作を行うことを指示又は示唆するものとして理解すべきではない。したがって、本願を限定するものとして理解してはならない。
【００３７】
図１、図３及び図４に示すように、空気調和機１００は、大体、底面パネル１０、パネルフレーム２０、電気制御ボックス３０及びパネル４０を含む。
【００３８】
具体的には、図３と図４との組み合わせに示すように、底面パネル１０は、パネルフレーム２０にカバーされており、電気制御ボックス３０はパネルフレーム２０に取り付けられ、且つパネルフレーム２０の前にある。その中で、電気制御ボックス３０をパネルフレーム２０の前に取り付けることにより、メンテナンスする場合、パネルフレーム２０の前から電気制御ボックス３０を直接にメンテナンス及び着脱することができ、パネルフレーム２０による作業者への干渉可能性を低減し、点検効率を向上させる。
【００３９】
また、電気制御ボックス３０の少なくとも一部はパネルフレーム２０に取り外し可能に接続されている。電気制御ボックス３０全体がパネルフレーム２０に取り外し可能に接続されてもよい。これにより、電気制御ボックス３０をメンテナンスする必要がある場合、電気制御ボックス３０全体を取り外すことができ、理解できることとして、空気調和機１００室内機、特に壁掛け式空気調和機１００室内機は、その取り付け位置が一般的には高く、電気制御ボックス３０のメンテナンスに迷惑をかけ、電気制御ボックス３０全体を着脱するようにすれば、作業者は電気制御ボックス３０全体を取り外すことで、底面で電気制御ボックス３０を点検することができ、点検が容易になる。さらに電気制御ボックス３０の一部がパネルフレーム２０に取り外し可能に接続されていることであってもよく、これにより、点検を完了した後に、取り外した一部を再度取り付けるだけでよく、取り付けステップを低減する。例えば、電気制御ボックス３０のパネル４０に対向する側が取り外し可能にされる。
【００４０】
図１、図３及び図４に示すように、パネル４０はパネルフレーム２０の前を開き可能にカバーし、電気制御ボックス３０とパネル４０とが前後に正対する。これにより、電気制御ボックス３０を点検する必要がある場合、パネル４０を開けるだけで、作業者は電気制御ボックス３０を直接点検することができ、点検がさらに容易になる。
【００４１】
以上より、本願実施例に係る空気調和機１００は、電気制御ボックス３０をパネルフレーム２０の前に取り付け、且つ電気制御ボックス３０の少なくとも一部をパネルフレーム２０に取り外し可能に接続し、電気制御ボックス３０とパネル４０との前後を正対させることにより、電気制御ボックス３０の点検及び着脱の利便性を向上させることができる。
【００４２】
いくつかの実施例において、電気制御ボックス３０全体はパネルフレーム２０に取り外し可能に取り付けられている。当然ながら、上記実施例は概略的なものに過ぎず、本願の保護範囲を限定するものとして理解してはならず、例えば、電気制御ボックス３０はさらに一部がパネルフレーム２０に着脱可能に相互接続されるものであっても良いし、当然ながら、電気制御ボックス３０はその中の一部がパネルフレーム２０に取り外し可能に接続されるものであっても良いし、全体がパネルフレーム２０に取り外し可能に接続されるものであってもよい。後者を例とすれば、作業者は実際の状況に応じて電気制御ボックス３０の全体的な取り外し又は部分的な取り外しを選択することができ、作業者の選択性を向上させ、点検効率の向上に寄与する。
【００４３】
いくつかの選択的実施例において、図５、図７及び図１１に示すように、電気制御ボックス３０の上端はパネルフレーム２０前の上側に挿着され、電気制御ボックス３０の下端に、パネルフレーム２０前の下側の前面に重ね接続されている第１の重ね接続部３２が設けられ、第１の重ね接続部３２は，パネルフレーム２０に取り外し可能に接続されている。これにより、電気制御ボックス３０下側の第１の重ね接続部３２はパネルフレーム２０の前面に重ね接続され、電気制御ボックス３０の上端はパネルフレーム２０前の上側に挿着され、電気制御ボックス３０はパネルフレーム２０に取り付けて固定される。そのうち、電気制御ボックス３０の上端に挿着孔２１が設けられ、パネルフレーム２０において、挿着孔２１に対応する係止フック３１が設けられ、係止フック３１が挿着孔２１内に延伸されて電気制御ボックス３０をかけることであっても良いし、さらに電気制御ボックス３０の上端に係止フック３１が設けられ、パネルフレーム２０において、係止フック３１に対応する挿着孔２１が設けられ、係止フック３１が挿着孔２１内に延伸されてパネルフレーム２０をかけることであっても良いし、また、左右方向に沿って間隔をおいて配置されている複数の係止フック３１を含む。これにより、電気制御ボックス３０の取り付け安定性を向上させることができる。好ましくは、係止フック３１の挿着孔２１に向かう側に案内傾斜面が設けられ、これにより、係止フック３１を挿着孔２１内に容易に延伸させてパネルフレーム２０又は電気制御ボックス３０をかけることができる。また、理解できることとして、第１の重ね接続部３２はパネルフレーム２０に取り外し可能に接続され，電気制御ボックス３０の上端はパネルフレーム２０前の上側に挿着され，これにより，電気制御ボックス３０全体とパネルフレーム２０の取り外し可能な相互接続を実現することができる。例を挙げて言えば、第１の重ね接続部３２とパネルフレーム２０はねじ接続、係着又は挿着等であっても良い。
【００４４】
当然ながら、上記実施例は概略的なものに過ぎず、本願の保護範囲を限定するものとして理解してはならず、例えば、電気制御ボックス３０の上端とパネルフレーム２０前の上側とがねじ接続であっても良い。
【００４５】
いくつかの選択的実施例において、図１と図６、図７及び図８との組み合わせに示すように、電気制御ボックス３０はパネルフレーム２０の左右方向に沿う少なくとも一つの端部に設けられ、電気制御ボックス３０において、パネルフレーム２０の対応する端部の前面に重ね接続される第２の重ね接続部３３が設けられ、第２の重ね接続部３３は、パネルフレーム２０に取り外し可能に接続されている。例を挙げて言えば、電気制御ボックス３０はパネルフレーム２０の右端部に設けられ、電気制御ボックス３０の右端に第２の重ね接続部３３が設けられ、第２の重ね接続部３３はパネルフレーム２０に重ね接続され、且つ第２の重ね接続部３３がパネルフレーム２０に取り外し可能に接続され、これにより、パネルフレーム２０は電気制御ボックス３０の右端を位置決めすることができる。このうち、第２の重ね接続部３３はパネルフレーム２０に取り外し可能に接続され、第２の重ね接続部３３とパネルフレーム２０はねじ接続、挿着又は係着であっても良い。例を挙げて言えば、第２の重ね接続部３３は右へ延在し、パネルフレーム２０に位置制限部２２が設けられ、位置制限部２２に左へ開放する位置制限溝が設けられ、第２の重ね接続部３３は位置制限溝内への延伸に適する。当然ながら、電気制御ボックス３０はさらにパネルフレーム２０の左端部に設けられてもよく、ここで説明を省略する。
【００４６】
いくつかの実施例において、図１に示すように、パネルフレーム２０の前面に開口部２０１を有し、電気制御ボックス３０の少なくとも一部は開口部２０１内に取り外し可能に設けられる。電気制御ボックス３０の少なくとも一部は開口部２０１内に取り外し可能に設けられ、即ち電気制御ボックス３０は全体的に取り外し又は部分的に取り外すことができる。開口部２０１を設置することにより、一方で電気制御ボックス３０のために取り付け空間を提供することができ、機器本体の厚さを小さくし、他方で、パネルフレーム２０の材料使用量を低減し、コストの節約に寄与する。
【００４７】
いくつかの実施例において、図９と図１０、図１１及び図１２との組み合わせに示すように、電気制御ボックス３０は本体３４及び蓋３５を含み、本体３４内において、前方が開放し且つ電気制御板３６の配置に適する収容キャビティが形成され、蓋３５は本体３４の開放側を開き可能にカバーする。これにより、電気制御ボックス３０を点検する必要がある場合、電気制御ボックス３０全体をパネルフレーム２０から取り外してから、蓋３５を開ければ、電気制御板３６を点検でき、又は、パネル４０を開け、電気制御ボックス３０がパネル４０に対向するため、蓋３５を開ければ、収容キャビティが前向きに開放する。これにより、電気制御板３６が露出し、作業者は電気制御板３６を直接点検することもでき、点検を完了した後に、蓋３５を閉合し且つパネル４０を閉合すればよく、ステップが少なく、点検効率を向上させる。
【００４８】
いくつかの選択的実施例において、蓋３５は反転可能又は取り外し可能に本体３４に接続されている。蓋３５を反転可能に本体３４に接続するように設置する場合、蓋３５を反転すれば、本体３４を開けることができ、点検を完了した後に蓋３５を再度反転して本体３４を閉合すればよく、操作が簡単であり、点検が容易になる。蓋３５を本体３４に取り外し可能に接続するように設置する場合、蓋３５を本体３４から取り外し、点検を完了した後に、収容キャビティを閉じるように蓋３５を本体３４に取り付ければよく、このうち、蓋３５と本体３４との接続方式は相互係合、ねじ接続等であっても良い。
【００４９】
いくつかの実施例において、図１１に示すように、本体３４は第１のインナーケース３４１及び第１の板金部材３４２を含み、第１のインナーケース３４１の外側を第１の板金部材３４２が被覆し、第１の板金部材３４２は第１のインナーケース３４１に固定して接続され又は取り外し可能に接続されている。理解できることとして、電気制御ボックス３０は室内熱交換器５０に近接して配置され、室内熱交換器５０が冷房する時、電気制御ボックス３０内に凝縮水が生成する可能性がある。本願中の本体３４は第１のインナーケース３４１及び第１の板金部材３４２により構成され、第１のインナーケース３４１と第１の板金部材３４２の間に隙間を有し、図９に示すように、空気層が増加し、電気制御ボックス３０内に凝縮水が生成することを防止するために用いられる。このうち、空気層内は中空キャビティであっても良いし、断熱媒体を設置することもできる。これにより、電気制御ボックス３０内に凝縮水が生成する可能性を低減することができ、電気制御ボックス３０の安全性を向上させる。
【００５０】
いくつかの実施例において、図１１に示すように、蓋３５は第２のインナーケース３５１及び第２の板金部材３５２を含み、第２のインナーケース３５１の外側を第２の板金部材３５２が被覆し、第２の板金部材３５２は第２のインナーケース３５１に固定して接続され又は取り外し可能に接続されている。理解できることとして、電気制御ボックス３０は室内熱交換器５０に近接し配置され、室内熱交換器５０が冷房する時、電気制御ボックス３０内に凝縮水が生成する可能性がある。本願中の蓋３５は第２のインナーケース３５１及び第２の板金部材３５２で構成され、第２のインナーケース３５１と第２の板金部材３５２の間に隙間を有し、空気層が増加し、電気制御ボックス３０内に凝縮水が生成することを防止するために用いられる。このうち、空気層内は中空キャビティであっても良いし、断熱媒体を設置することもできる。これにより、電気制御ボックス３０内に凝縮水が生成する可能性を低減することができ、電気制御ボックス３０の安全性を向上させる。
【００５１】
いくつかの実施例において、パネルフレーム２０は底面パネル１０に取り外し可能に接続されている。これにより、底面パネル１０を点検する必要がある場合、底面パネル１０をパネルフレーム２０から取り外せば、作業者は底面で底面パネル１０を操作することができ、点検が容易になる。例を挙げて言えば、パネルフレーム２０において前向きに開放する点検口が設けられ、底面パネル１０は前後方向に点検口内への延伸及び引き出しが可能であり、パネルフレーム２０は底面パネル１０に係止されるように接続されている。
【００５２】
いくつかの選択的実施例において、図１、図３と図４との組み合わせに示すように、パネル４０は回転可能又は反転可能にパネルフレーム２０に相互接続されている。パネル４０を反転可能にパネルフレーム２０に相互接続するように設置する場合、パネル４０を反転すればパネルフレーム２０を開けることができ、点検を完了した後にパネル４０を再度反転してパネルフレーム２０を閉合すればよく、操作が簡単であり、点検が容易になる。パネルフレーム２０をパネル４０に取り外し可能に接続するように設置する場合、パネル４０をパネルフレーム２０から取り外し、点検を完了した後に、パネルフレーム２０を閉合するようにパネル４０をパネルフレーム２０に取り付けばよく、このうちパネル４０とパネルフレーム２０との接続方式は相互係合、ねじ接続等であっても良い。
【００５３】
いくつかの実施例において、図１と図２及び図５との組み合わせに示すように、パネルフレーム２０に後ろへ凹んでいる重ね接続溝２３１を有し、電気制御ボックス３０は通線部３７を含み、通線部３７内に通線溝３７１を有し、通線溝３７１は電気制御ボックス３０の内部空間を連通させ、且つ通線部３７は重ね接続溝２３１内に嵌設されている。通線部３７は重ね接続溝２３１内に嵌設され、これにより、電気制御ボックス３０に支持を提供することができる。例を挙げて言えば、図８に示すように、電気制御ボックス３０の左側に通線部３７が設けられ、通線部３７は左へ延在して重ね接続溝２３１内に延伸し、これにより、電気制御ボックス３０はパネルフレーム２０の外面に支持することができ、さらに電気制御ボックス３０の点検を容易にする。
【００５４】
このうち、通線溝３７１は配線のために用いられ、いくつかの具体的な実施例において、通線部３７内に配線ハーネス固定構造が設けられ、配線ハーネス固定構造は配線ハーネスを固定するために用いられる。さらに、図１２及び図１３に示すように、配線ハーネス固定構造は複数の左右方向に沿って間隔をおいて設置されたリブ３７２であり、これにより、複数のリブ３７２は配線ハーネスを固定することができるだけでなく、さらに密封の作用を発揮し、凝縮水が通線部３７から収容キャビティ内に入ることを回避する。
【００５５】
いくつかの実施例において、図１及び図３、図４に示すように、パネル４０はパネルフレーム２０にヒンジ接続されている。言い換えれば、パネル４０はパネルフレーム２０に回転可能に接続され、パネル４０は回転可能にパネルフレーム２０を開閉し、これにより、点検する必要がある場合、パネル４０を回転し、電気制御ボックス３０を直接点検することができ、点検を完了した後に、パネル４０を回転して復帰させればよく、操作が簡単であり、点検効率の向上に寄与する。
【００５６】
いくつかの実施例において、電気制御ボックス３０はパネルフレーム２０に取り外し可能に接続されている、パネルフレーム２０は底面パネル１０に取り外し可能に接続されている、パネル４０はパネルフレーム２０に取り外し可能に接続され又はパネル４０は反転可能にパネルフレーム２０を開ける、室内熱交換器５０は底面パネル１０に取り外し可能に接続されている、電気制御ボックス３０は蓋３５及び本体３４を含む、蓋３５は本体３４に取り外し可能に接続されている、蓋３５は第１のインナーケース３４１及び第１の板金部材３４２を含み、第１のインナーケース３４１は第１の板金部材３４２に取り外し可能に接続されている、本体３４は第２のインナーケース３５１及び第２の板金部材３５２を含み、第２のインナーケース３５１は第２の板金部材３５２に取り外し可能に接続されている。
【００５７】
一つの具体的な実施例において、図１、図３及び図４に示すように、電気制御ボックス３０は室内熱交換器５０の上方にあり、パネルフレーム２０、室内熱交換器５０、及びパネル４０の間に収容空間が形成され、電気制御ボックス３０は収容空間内にあり、電気制御ボックス３０はパネルフレーム２０に取り付けられ、電気制御ボックス３０はパネルフレーム２０に取り外し可能に接続されている。
【００５８】
図１及び図５に示すように、吸気グリル６０はパネルフレーム２０に接続され、パネルフレーム２０と一体的に成形され、パネルフレーム２０に少なくとも一つの挿着孔２１が設けられる。本体３４は一体成形されるものであり、本体３４の上端に少なくとも一つの係止フック３１が設けられ、係止フック３１に案内傾斜角が設けられることで，係止フック３１を挿着孔２１内に容易に入れる。挿着孔２１は係止フック３１に対応し、電気制御ボックス３０をパネルフレーム２０に固定する。パネルフレーム２０はトッププレートを含み、トッププレートの右側に支持部が設けられ、支持部とトッププレートが一体成形されるものであり、電気制御ボックス３０の左側において、図５に示すように、パネルフレーム２０に支持ビーム２３が設けられ、支持ビーム２３とトッププレートが一体成形されるものである。支持部と支持ビーム２３という両者は事前位置決めの作用を発揮し、電気制御ボックス３０の取り付けを案内することができる。図６に示すように、電気制御ボックス３０でのそれに対応する構造は第２の重ね接続部３３及び通線部３７であり、第２の重ね接続部３３と通線部３７はいずれも本体３４に接続され、本体３４と一体的に成形されるものである。図１１に示すように、蓋３５と本体３４は取り外し可能に接続され、上下において、いずれも板金が相互に係合される構造があり、図８及び図１２に示すように、蓋３５にねじ穴３９が設けられ、本体３４において、ねじ穴３９に対応するねじ柱３８が設けられ、ねじはそれぞれ蓋３５、本体３４に相互接続されて本体３４と蓋３５を密封することができる。
【００５９】
以下に、図面を参照して本願実施例に係る電気制御ボックス３０を説明する。
【００６０】
関連技術における電気制御ボックス、例えば空気調和機の電気制御ボックスは、乾燥の環境で設けられることで防水性を備えず、しかし電気制御ボックスが湿潤な環境にある場合、水蒸気が電気制御ボックスの内部に容易に入り、電気制御ボックス内部の部材の正常の使用に影響を与え、部材を容易に損傷し、それにより電気制御ボックスの作動信頼性及び安定性に影響し、電気制御ボックスの耐用年数に影響する。
【００６１】
図１４〜図２０に示すように、本願実施例に係る電気制御ボックス３０は、第１のインナーケース３４１と、第２のインナーケース３５１と、を含む。
【００６２】
第１のインナーケース３４１は開口２０２を有し、第１のインナーケース３４１は第１の接続面２１２を有する。第２のインナーケース３５１と第１のインナーケース３４１は取り外し可能に接続されて開口２０２を開閉し、第２のインナーケース３５１は第１の接続面２１２と合わせる第２の接続面２２３を有し、このうち、第１のインナーケース３４１と第２のインナーケース３５１の一方は他方の内部に延伸する止水部２３０を有し、止水部２３０は第１の接続面２１２と第２の接続面２２３の結合部位の内側にある。
【００６３】
本願実施例に係る電気制御ボックス３０は、第１のインナーケース３４１が第１の接続面２１２を有し、第２のインナーケース３５１が第１の接続面２１２と合わせる第２の接続面２２３を有する。これにより第１の接続面２１２と第２の接続面２２３を利用して第１のインナーケース３４１と第２のインナーケース３５１の間の接触合わせを実現し、第１のインナーケース３４１と第２のインナーケース３５１の間に大きな隙間を有することを回避し、水分が第１のインナーケース３４１と第２のインナーケース３５１の間の隙間からその内部に入る可能性を低減し、第１のインナーケース３４１と第２のインナーケース３５１との接続部位での密封性を向上させ、電気制御ボックス３０の防水性を向上させることができる。
【００６４】
そして、第１のインナーケース３４１と第２のインナーケース３５１の一方は他方の内部に延伸する止水部２３０を有し、止水部２３０は第１の接続面２１２と第２の接続面２２３の結合部位の内側にある。これにより止水部２３０を利用して水分を遮断し、水分が電気制御ボックス３０の内部に入る可能性を低減することができ、水分が第１の接続面２１２と第２の接続面２２３の結合部位から入っても、止水部２３０を利用して遮断することができ、水分が開口２０２から第１のインナーケース３４１と第２のインナーケース３５１の内部に入ることを回避し、電気制御ボックス３０の防水性を向上させ、水分が入ることで電気制御ボックス３０の正常の作動に影響し、さらに電気制御ボックス３０を損傷することを回避し、電気制御ボックス３０の作動信頼性及び安定性を容易に向上させ、電気制御ボックス３０の耐用年数を延長し、電気制御ボックス３０の機能性及び適用性を向上させる。
【００６５】
したがって、本願実施例に係る電気制御ボックス３０は防水効果が高く、信頼性が高いなどの利点を有する。
【００６６】
以下に、図面を参照して本願の具体的な実施例に係る電気制御ボックス３０を説明する。
【００６７】
本願のいくつかの具体的な実施例において、図１４〜図２０に示すように、本願実施例に係る電気制御ボックス３０は、第１のインナーケース３４１及び第２のインナーケース３５１を含む。
【００６８】
具体的には、図１９及び図２０に示すように、第１のインナーケース３４１は第２のインナーケース３５１内に延伸する止水部２３０を有し、第２のインナーケース３５１は第１のインナーケース３４１に向かって延在する折り返し部２２４を有し、止水部２３０は折り返し部２２４の内側に設けられ、且つ止水部２３０と折り返し部２２４とが相対して配置されている。これにより第１のインナーケース３４１と第２のインナーケース３５１の組み立て成形を容易にするだけでなく、さらに折り返し部２２４及び止水部２３０を利用して水分を共同で遮断し、水分が第１のインナーケース３４１と第２のインナーケース３５１の内部に入ることを回避し、電気制御ボックス３０の防水性をさらに向上させる。
【００６９】
より具体的には、折り返し部２２４の端面は第２の接続面２２３として形成される。これにより第２の接続面２２３を容易に形成し、第１のインナーケース３４１と第２のインナーケース３５１の係合取り付けを容易にする。
【００７０】
選択可能に、止水部２３０は開口２０２に近接して設置され、第１の接続面２１２は止水部２３０の外側に設けられ、且つ止水部２３０の端面より低い。これにより止水部２３０を利用して水分を遮蔽することができ、開口２０２を保護し、水分が開口２０２から第１のインナーケース３４１と第２のインナーケース３５１の内部に入ることを回避し、電気制御ボックス３０の防水性を向上させる。
【００７１】
具体的には、折り返し部２２４と止水部２３０とが間隔をおいて設置されている。これにより折り返し部２２４と止水部２３０の干渉を回避し、第１のインナーケース３４１と第２のインナーケース３５１を容易且つ円滑に取り付ける。
【００７２】
選択可能に、折り返し部２２４の延在方向において、折り返し部２２４と止水部２３０との重ね部分の長さが１ミリメートル以上である。したがって、折り返し部２２４と止水部２３０との重ね部分に十分な長さを持たせることができ、折り返し部２２４と止水部２３０を利用して水分を容易に遮断し、電気制御ボックス３０の防水性を向上させる。
【００７３】
本願のいくつかの実施例において、止水部２３０は開口２０２の縁部の延在方向に沿って配向される。これにより、止水部２３０は開口２０２をよりよく保護し、水分が開口２０２の内部に入ることを防止する。
【００７４】
本願のいくつかの具体的な実施例において、開口２０２は第１のインナーケース３４１の前面に形成され、第２のインナーケース３５１は第１のインナーケース３４１の前方にあり且つ第１のインナーケース３４１の外側をカバーするように設置され、止水部２３０は水平方向に沿って配向する。
【００７５】
選択可能に、図１１に示すように、電気制御ボックス３０はさらに第１の板金部材３４２と第２の板金部材３５２を含み、第１の板金部材３４２は第１のインナーケース３４１の外側をカバーするように設置され、且つ第１のインナーケース３４１に接続されている。第２の板金部材３５２は第２のインナーケース３５１の外側をカバーするように設置され、且つ第２のインナーケース３５１に接続され、このうち、第２の板金部材３５２は第１の板金部材３４２に向かって延在する遮蔽部１３０を有し、遮蔽部１３０は第１の接続面２１２と第２の接続面２２３の結合部位に跨る。これにより第１の板金部材３４２を利用して第１のインナーケース３４１を保護し、第２の板金部材３５２を利用して第２のインナーケース３５１を保護することができるだけでなく、さらに遮蔽部１３０を利用して第１の接続面２１２と第２の接続面２２３の結合部位を遮蔽することもでき、水分が電気制御ボックス３０の内部に入ることを回避し、さらに電気制御ボックス３０の防水性を向上させ、電気制御ボックス３０の作動信頼性及び安定性を向上させる。
【００７６】
さらに、第１のインナーケース３４１と第１の板金部材３４２は係合される。及び／又は、第２のインナーケース３５１と第２の板金部材３５２は係合される。これにより第１の板金部材３４２と第１のインナーケース３４１、第２の板金部材３５２と第２のインナーケース３５１の取り付け及び取り外しを容易にし、第１の板金部材３４２と第１のインナーケース３４１の間の接続強度及び信頼性を向上させ、第２の板金部材３５２と第２のインナーケース３５１の間の接続強度及び信頼性を向上させる。
【００７７】
具体的には、図１１に示すように、第１のインナーケース３４１と第１の板金部材３４２の一方は第１の留め具２１１を有し且つ他方は第１の留め具２１１と嵌合する第１の係止孔１１７を有する。及び／又は、第２のインナーケース３５１と第２の板金部材３５２の一方は第２の留め具２２１を有し、且つ他方は第２の留め具２２１と嵌合する第２の係止孔１２６を有する。これにより、第１の留め具２１１と第１の係止孔１１７を利用して第１の板金部材３４２と第１のインナーケース３４１の間の係止接続を実現し、第２の留め具２２１と第２の係止孔１２６を利用して第２の板金部材３５２と第２のインナーケース３５１の間の係止接続を実現することができ、第１のインナーケース３４１と第１の板金部材３４２の間の接続安定性及び信頼性を向上させ、第２のインナーケース３５１と第２の板金部材３５２の間の接続安定性及び信頼性を向上させる。
【００７８】
より具体的には、第１の留め具２１１と第２の係止孔１２６はいずれも電気制御ボックス３０の周方向に沿って配置された複数のものであり、且つ第１の留め具２１１と第１の係止孔１１７は一対一に対応する。第２の留め具２２１と第２の係止孔１２６はいずれも電気制御ボックス３０の周方向に沿って配置された複数のものであり、且つ第２の留め具２２１と第２の係止孔１２６は一対一に対応する。このうち、第１の留め具２１１の寸法は第２の留め具２２１の寸法より大きく又はそれに等しく、第１の係止孔１１７の面積は第２の係止孔１２６の面積より大きく又はそれに等しい。これにより第１の板金部材３４２と第１のインナーケース３４１の間の接続強度を向上させ、第１の板金部材３４２と第１のインナーケース３４１により均一な力を受けさせ、第２の板金部材３５２と第２のインナーケース３５１の接続強度を向上させ、第２の板金部材３５２と第２のインナーケース３５１に受けられた力をより均一にする。
【００７９】
選択可能に、図１７に示すように、第１のインナーケース３４１と第１の板金部材３４２の一方は第１の挿入スロット２１３を有し且つ他方は第１の挿入スロット２１３と嵌合する第１の挿着部１１８を有することで第１の板金部材３４２を第１のインナーケース３４１に密着させる。及び／又は、第２のインナーケース３５１と第２の板金部材３５２の一方は第２の挿入スロットを有し且つ他方は前記第２の挿入スロットと嵌合する第２の挿着部を有することで第２の板金部材３５２を第２のインナーケース３５１に密着させる。これにより第１のインナーケース３４１と第１の板金部材３４２の間の密着係合を実現し、第２のインナーケース３５１と第２の板金部材３５２の間の密着係合を実現し、第１のインナーケース３４１と第１の板金部材３４２の間、第２のインナーケース３５１と第２の板金部材３５２の間の組み立て効果を向上させる。
【００８０】
具体的には、第１の板金部材３４２と第２の板金部材３５２は金属材料で製造される。これにより第１の板金部材３４２と第２の板金部材３５２の構造強度及び接続信頼性を向上させることができ、第１のインナーケース３４１と第２のインナーケース３５１を保護する。
【００８１】
より具体的には、第１の板金部材３４２と第２の板金部材３５２は、いずれも板金部材である。これにより第１の板金部材３４２と第２の板金部材３５２を容易に生産加工し、第１の板金部材３４２と第２の板金部材３５２の生産効率を向上させるだけでなく、さらに第１の板金部材３４２と第２の板金部材３５２の構造強度を容易に向上させる。
【００８２】
さらに、板金部材の縁部は折り畳み、押圧などの処理を行うことができ、操作過程で、板金部材がユーザの手を傷つけてユーザを傷害することを防止する。
【００８３】
選択可能に、第１のインナーケース３４１と第２のインナーケース３５１は防火性プラスチック部材であり、第１のインナーケース３４１と第２のインナーケース３５１の厚さはいずれ２．５ミリメートル以上であり、第１の板金部材３４２と第２の板金部材３５２は板金部材であり且つ第１の板金部材３４２と第２の板金部材３５２の厚さがいずれも０．３ミリメートル以上である。
【００８４】
本願のいくつかの実施例において、第１の板金部材３４２と第２の板金部材３５２は、係止接続されている。これにより電気制御ボックス３０の取り外しと取り付けを容易に行い、電気制御ボックス３０の組み立て効率を向上させるだけではなく、さらに第１の板金部材３４２と第２の板金部材３５２の間の接続強度及び接続信頼性を向上させ、第１の板金部材３４２と第２の板金部材３５２を利用して本体部２００を容易に被覆し、関連技術におけるプラスチックケースを採用する方式と比較すれば、電気制御ボックス３０の内部に火が発した場合、第１の板金部材３４２と第２の板金部材３５２は火炎を効果的に隔離し、火炎を電気制御ボックス３０の内部に隔離することができ、プラスチックケースが溶融するように燃焼した後に火炎が電気制御ボックス３０内から出して他の部材を引火させることを回避し、例えば、電気制御ボックス３０は空気調和機１００内に設けられる場合、電気制御ボックス３０の内部に火が発した後に、火炎が電気制御ボックス３０内から出して空気調和機１００内の他の部材を引火させることを回避することができ、電気制御ボックス３０の火炎隔離性を向上させ、電気制御ボックス３０に火が発した後に火勢を制御することができ、電気制御ボックス３０の使用上の安全性及び信頼性を向上させる。
【００８５】
本願のいくつかの実施例において、第２の板金部材３５２に第１の係着部が設けられ、第１の板金部材３４２に第２の係着部が設けられ、前記第１の係着部は前記第２の係着部との係着に適する。これにより前記第１の係着部と前記第２の係着部を利用して第２の板金部材３５２と第１の板金部材３４２の間の係着を実現することができ、第２の板金部材３５２と第１の板金部材３４２を容易に着脱操作を行うだけでなく、さらに第２の板金部材３５２と第１の板金部材３４２の間の接続強度を向上させる。
【００８６】
具体的には、図２０に示すように、前記第１の係着部は第１の係止突起１２１を含み、前記第２の係着部は第２の係止突起１１１を含み、第１の係止突起１２１は第２の係止突起１１１を跨って第２の係止突起１１１とずれて配置されてインターロックを実現する。これにより第１の係止突起１２１と第２の係止突起１１１を利用して第２の板金部材３５２と第１の板金部材３４２の間の確実な接続を実現することができ、第２の板金部材３５２と第１の板金部材３４２の間の接続強度及び信頼性を向上させ、ケース１００の構造安定性を向上させる。
【００８７】
選択可能に、図２０に示すように、第２の板金部材３５２は第１の板金部材３４２へ延在する第１の折り返し１２２を有し、第１の板金部材３４２は第２の板金部材３５２へ延在する第２の折り返し１１２を有し、第１の折り返し１２２と第２の折り返し１１２は相対設置され、前記第１の係着部は第１の折り返し１２２に形成され、且つ第１の折り返し１２２の長さ方向に沿って延在し、前記第２の係着部は第２の折り返し１１２に形成され且つ第２の折り返し１１２の長さ方向に沿って延在する。これにより前記第１の係着部と前記第２の係着部を容易に生産加工し、前記第１の係着部と前記第２の係着部を円滑に係着する。
【００８８】
さらに、前記第１の係着部は第１の折り返し１２２の外縁部にあり、前記第２の係着部は第２の折り返し１１２の外縁部にある。これにより前記第１の係着部と前記第２の係着部をさらに円滑に係合し、電気制御ボックス３０の組み立て効率を向上させる。
【００８９】
選択可能に、前記第１の係着部は第１の折り返し１２２の外縁部を折り返すことにより形成され、前記第２の係着部は第２の折り返し１１２の外縁部を折り返すことにより形成される。これにより前記第１の係着部と前記第２の係着部の構造を簡略化することができ、前記第１の係着部と前記第２の係着部を容易に生産加工し、ケース１００を量産し、ケース１００の生産コストを低減し、ケース１００の生産効率を向上させる。
【００９０】
ここで、第２の板金部材３５２の外縁部に第１の折り返し１２２を設けることができ、第２の板金部材３５２の少なくとも一部の外縁部に第１の折り返し１２２を設けることもでき、第１の板金部材３４２の外縁部に第２の折り返し１１２を設けることができ、第１の板金部材３４２の少なくとも一部の外縁部に第２の折り返し１１２を設けることもできると理解すべきである。
【００９１】
本願のいくつかの実施例において、第２の板金部材３５２に第１の挿着部が設けられ、第１の板金部材３４２に第２の挿着部が設けられ、前記第１の挿着部は前記第２の挿着部との挿着に適する。これにより前記第１の挿着部と前記第２の挿着部を利用して第２の板金部材３５２と第１の板金部材３４２の組み立てに対して位置決め及び案内を行うことができ、第２の板金部材３５２と第１の板金部材３４２を容易且つ円滑に組み立てて成形し、ケース１００の組み立て効率を向上させ、ケース１００の組み立て時間を短縮する。
【００９２】
本願のいくつかの実施例によれば、図１５及び図１７に示すように、前記第１の挿着部は外に突出して設置された挿着ボス１２３を有し、前記第２の挿着部は挿着溝１１３を有し、挿着溝１１３の溝口は挿着ボス１２３に向かって挿着ボス１２３を挿着溝１１３内に挿入する。これにより挿着ボス１２３と挿着溝１１３を容易に挿着し、さらに第２の板金部材３５２と第１の板金部材３４２の組み立て効率を向上させる。
【００９３】
選択可能に、挿着ボス１２３は第２の板金部材３５２と一体的に成形される。
【００９４】
より具体的には、挿着ボス１２３は挿着溝１１３への挿入に適する第１の案内面１２４を有し、挿着溝１１３は与第１の案内面１２４と合わせる第２の案内面１１４を有する。これにより第１の案内面１２４と第２の案内面１１４を利用して挿着ボス１２３の挿着取り付けに対して位置決め及び案内を行うことができ、挿着ボス１２３を挿着溝１１３内に円滑に挿入するようにし、第２の板金部材３５２と第１の板金部材３４２をより円滑に取り付けることができ、さらにケース１００を容易に組み立てて成形する。
【００９５】
選択可能に、図１７に示すように、第１の板金部材３４２の外側壁において、外に突出して設置された固定シート１１５が設けられ、固定シート１１５によって挿着溝１１３が限定される。さらに、挿着溝１１３は固定シート１１５を折り曲げることにより形成される。これにより挿着溝１１３を容易に加工成形し、挿着溝１１３の構造強度及び信頼性を保証し、同時に第１の板金部材３４２の加工効率を向上させる。
【００９６】
さらに、固定シート１１５は第１の板金部材３４２の外側壁と一体的に成形される。
【００９７】
具体的には、挿着溝１１３と第１の板金部材３４２の外側壁の接続部位に補強リブが設けられ、補強リブは挿着溝１１３の形状に合わせる。さらに、補強リブは複数あり、且つ挿着溝１１３の長さ方向に沿って間隔をおいて設置されている。これにより、挿着溝１１３の構造強度及び剛性を補強することができ、挿着溝１１３に力受けの弱点部が現れることを回避し、挿着溝１１３の変形及び損傷を回避し、挿着溝１１３と挿着ボス１２３の間の嵌合信頼性を向上させる。
【００９８】
本願の別の実施例によれば、前記第１の挿着部は外に突出して設置された挿着ボス１２３を有し、前記第２の挿着部は挿着孔を有し、前記挿着孔は挿着ボス１２３に向かって挿着ボス１２３を前記挿着孔内に挿入する。第１の板金部材３４２の外側壁において外に突出して設置された接続片が設けられ、前記接続片によって前記挿着孔が限定される。これにより挿着ボス１２３と前記挿着孔を容易に挿着して嵌合し、さらに第２の板金部材３５２と第１の板金部材３４２の組み立て効率を向上させる。
【００９９】
選択可能に、図１５に示すように、第２の板金部材３５２の縁部に取っ手１２５が設けられる。さらに、取っ手１２５は第１の折り返し１２２に設けられ、且つ挿着ボス１２３と相対設置される。これによりユーザは取っ手１２５を介して第２の板金部材３５２を外へ引くことができ、第１の係止突起１２１と第２の係止突起１１１のずれ離脱を実現し、第２の板金部材３５２と第１の板金部材３４２を容易に取り外し、ケース１００の取り外し効率を向上させる。
【０１００】
具体的には、図１１に示すように、ケース１００に通過口１０１が設けられ、本体部２００は通過口１０１を介して外部に連通する。これにより本体部２００の内部構造は通過口１０１を介して外部に接続することができ、電気制御ボックス３０を容易に他の構造に接続する。
【０１０１】
選択可能に、第１の留め具２１１の表面において、第１の係止孔１１７との係合に適する第１の留め具案内面が設けられ、第２の留め具２２１の表面において、第２の係止孔１２６との係合に適する第２の留め具案内面が設けられる。これにより前記第１の留め具案内面を利用して第１の留め具２１１の取り付けに対して位置決め及び案内を行い、前記第２の留め具案内面を利用して第２の留め具２２１の取り付けに対して位置決め及び案内を行うことができ、第１の留め具２１１と第１の係止孔１１７、第２の留め具２２１と第２の係止孔１２６を容易且つ円滑に係着する。
【０１０２】
本願のいくつかの実施例において、第１のインナーケース３４１に前記第１の挿着部への支持に適する支持バンプが設けられ、支持バンプは前記第１の挿着部の内側にあり、支持バンプは前記第１の挿着部の長さ方向に沿って延在する。これにより支持バンプを利用して前記第１の挿着部を支持することができ、前記第１の挿着部の変形を回避し、前記第１の挿着部の構造強度を向上させる。
【０１０３】
具体的には、支持バンプは挿着ボス１２３への支持に適し、支持バンプは挿着ボス１２３の内側にあり、支持バンプは挿着ボス１２３の長さ方向に沿って延在する。
【０１０４】
選択可能に、前記第１の挿着部の長さ方向の両端にそれぞれ位置制限板が設けられ、前記第１の挿着部は二つの位置制限板の間に嵌合される。これにより位置制限板を利用して前記第１の挿着部の位置を制限することができ、前記第１の挿着部の長さ方向での大きな移動を回避し、さらに前記第１の挿着部の設置信頼性を向上させる。
【０１０５】
さらに、二つの位置制限板はそれぞれ支持バンプの長さ方向の両端に設けられ、支持バンプは二つの位置制限板の間にある。
【０１０６】
本願のいくつかの実施例において、図１８に示すように、本体部２００の外表面の少なくとも一部とケース１００の内表面との間に隔離隙間２０３が設けられ、このうち、本体部２００の外表面とケース１００の内表面のうちの少なくとも一つに隔離隙間２０３を仕切るための隔離リブ２１４が設けられる。これにより隔離隙間２０３で断熱層を形成することができ、例えば隔離隙間２０３に空気又は断熱材料を充填することができ、電気制御ボックス３０の保温断熱性を向上させ、外部が冷たくて内部が熱い状況で電気制御ボックス３０の内部に凝縮水が形成されることを回避し、電気制御ボックス３０の作動信頼性及び安定性を向上させ、電気制御ボックス３０の耐用年数を延長することができる。
【０１０７】
また、関連技術における電気制御ボックスアセンブリの表面にスポンジなどの断熱材料を貼り付ける方式と比較すれば、スポンジなどの断熱材料の使用を低減することができ、電気制御ボックス３０の生産コストを低減するだけでなく、さらに所定の厚さのスポンジを使用するだけで断熱効果を実現することができ、それにより隔離隙間２０３の設置はスポンジ断熱層の設置による多すぎる体積の占有を回避し、電気制御ボックス３０の全体的な寸法を制御することができる。同時に、スポンジが吸水して保温作用を発揮することができず、断熱機能が故障することを回避することができ、電気制御ボックス３０の断熱機能の信頼性及び安定性を向上させる。
【０１０８】
また、本体部２００の外表面とケース１００の内表面のうちの少なくとも一つに隔離隙間２０３を仕切るための隔離リブ２１４を設けることにより、隔離リブ２１４を利用して隔離隙間２０３を仕切り、隔離隙間２０３を細分割することができ、例えば隔離隙間２０３でより多くの独立する小領域を形成し、複数の小領域内の空気が互いに干渉しないようにし、隔離隙間２０３内に安定的な空気層を形成し、隔離隙間２０３内の空気流動可能性を低減し、隔離隙間２０３の保温断熱をより安定的且つ確実にし、隔離隙間２０３の保温断熱効果を向上させる。
【０１０９】
具体的には、隔離リブ２１４は本体部２００の外表面とケース１００の内表面の一方に設けられ、隔離リブ２１４から本体部２００の外表面とケース１００の内表面の他方までの距離が０．３ミリメートル以下である。これにより隔離リブ２１４から本体部２００の外表面とケース１００の内表面の他方までの距離を所定の範囲内に制御することができ、隔離隙間２０３内の空気流動の可能性を低減し、大きな距離による空気層の安定性への影響を回避する。
【０１１０】
より具体的には、隔離リブ２１４は本体部２００の外表面に設けられ、隔離リブ２１４とケース１００の内表面の間の距離が０．３ミリメートル以下である。
【０１１１】
選択可能に、隔離リブ２１４は複数あり、複数の隔離リブ２１４は隔離隙間２０３を複数のサブ領域２０４に仕切る。これにより隔離隙間２０３で複数の安定的な空気領域を形成することができ、隔離隙間２０３内の空気の流動を回避し、隔離隙間２０３の断熱性を向上させる。
【０１１２】
本願のいくつかの実施例において、隔離リブ２１４は複数の第１の隔離リブを含み、複数の第１の隔離リブは、本体部２００の幅方向に沿って間隔をおいて設置され、各第１の隔離リブは本体部２００の長さ方向に沿って延在する。これにより複数の第１の隔離リブを利用して本体部２００の幅方向に沿って隔離隙間２０３を複数のサブ領域２０４に仕切ることができ、隔離隙間２０３内の空気の本体部２００の幅方向での流動を回避する。
【０１１３】
具体的には、隔離リブ２１４は複数の第２の隔離リブを含み、複数の第２の隔離リブは本体部２００の長さ方向に沿って間隔をおいて設置され、各第２の隔離リブは本体部２００の幅方向に沿って延在する。これにより複数の第２の隔離リブ２１３を利用して本体部２００の長さ方向に沿って隔離隙間２０３を複数のサブ領域２０４に仕切ることができ、隔離隙間２０３内の空気の本体部２００の長さ方向での流動を回避する。
【０１１４】
より具体的には、複数の第１の隔離リブと複数の第２の隔離リブは交差して配置される。これにより隔離隙間２０３を複数の独立するサブ領域２０４に容易に仕切り、隔離隙間２０３内の空気の安定性を向上させ、隔離隙間２０３の保温断熱効果を向上させる。
【０１１５】
選択可能に、隔離隙間２０３で本体部２００の外表面とケース１００の内表面の間の距離は０．５ミリメートル以上である。これにより隔離隙間２０３が十分な厚さを有し、隔離隙間２０３が十分な断熱効果を有することを保証する。
【０１１６】
具体的には、隔離隙間２０３内に空気又は断熱材料が充填されている。これにより隔離隙間２０３の保温断熱性を向上させることができ、電気制御ボックス３０内外側の熱伝達過程を遮断する。
【０１１７】
本願のいくつかの実施例において、第１のインナーケース３４１の外表面と金属盒１１０の内表面の間に隔離隙間２０３の少なくとも一部が限定される。これにより隔離隙間２０３を容易に形成し、さらに電気制御ボックス３０の断熱性を向上させ、電気制御ボックス３０の作動信頼性及び安定性を向上させる。
【０１１８】
本願の一つの具体的な実施例によれば、電気制御ボックス３０は第１のインナーケース３４１及び第２のインナーケース３５１を含む。第１のインナーケース３４１は開口２０２を有し、第１のインナーケース３４１は第１の接続面２１２を有する。第２のインナーケース３５１と第１のインナーケース３４１は取り外し可能に接続されて開口２０２を開閉し、第２のインナーケース３５１は第１の接続面２１２と合わせる第２の接続面２２３を有し、このうち、第１のインナーケース３４１は第２のインナーケース３５１内に延伸する止水部２３０を有し、第２のインナーケース３５１は第１のインナーケース３４１に向かって延在する折り返し部２２４を有し、止水部２３０は折り返し部２２４の内側に設けられ、且つ止水部２３０と折り返し部２２４とが相対して配置されている。
【０１１９】
折り返し部２２４の端面は、第２の接続面２２３として形成される。止水部２３０は開口２０２に近接して設置され、第１の接続面２１２は止水部２３０の外側に設けられ、且つ止水部２３０の端面より低い。折り返し部２２４と止水部２３０とが間隔をおいて設置されている。折り返し部２２４の延在方向において、折り返し部２２４と止水部２３０との重ね部分の長さが１ミリメートル以上である。止水部２３０は、開口２０２の縁部の延在方向に沿って配向される。
【０１２０】
電気制御ボックス３０はさらに第１の板金部材３４２と第２の板金部材３５２を含み、第１の板金部材３４２は第１のインナーケース３４１の外側をカバーするように設置され、且つ第１のインナーケース３４１に接続されている。第２の板金部材３５２は第２のインナーケース３５１の外側をカバーするように設置され、且つ第２のインナーケース３５１に接続され、このうち、第２の板金部材３５２は第１の板金部材３４２に向かって延在する遮蔽部１３０を有し、遮蔽部１３０は第１の接続面２１２と第２の接続面２２３の結合部位に跨る。
【０１２１】
第１のインナーケース３４１と第１の板金部材３４２は係合され、第２のインナーケース３５１と第２の板金部材３５２は係合される。第１のインナーケース３４１は第１の留め具２１１を有し且つ第１の板金部材３４２は第１の留め具２１１と嵌合する第１の係止孔１１７を有する。第２のインナーケース３５１は第２の留め具２２１を有し且つ第２の板金部材３５２は第２の留め具２２１と嵌合する第２の係止孔１２６を有する。第１の留め具２１１と第２の係止孔１２６はいずれも電気制御ボックス３０の周方向に沿って配置された複数のものであり、且つ第１の留め具２１１と第１の係止孔１１７は一対一に対応する。第２の留め具２２１と第２の係止孔１２６はいずれも電気制御ボックス３０の周方向に沿って配置された複数のものであり、且つ第２の留め具２２１と第２の係止孔１２６は一対一に対応する。このうち、第１の留め具２１１の寸法は第２の留め具２２１の寸法より大きく又はそれに等しく、第１の係止孔１１７の面積は第２の係止孔１２６の面積より大きく又はそれに等しい。
【０１２２】
第１のインナーケース３４１は第１の挿入スロット２１３を有し、且つ第１の板金部材３４２は第１の挿入スロット２１３と嵌合する第１の挿着部１１８を有することで第１の板金部材３４２を第１のインナーケース３４１に密着させる。第２のインナーケース３５１は第２の挿入スロットを有し且つ第２の板金部材３５２は前記第２の挿入スロットと嵌合する第２の挿着部を有することで第２の板金部材３５２を第２のインナーケース３５１に密着させる。
【０１２３】
第１の板金部材３４２と第２の板金部材３５２は金属材料で製造された板金部材である。板金部材の縁部に対して折り畳み、押圧などの処理を行うことができる。第１のインナーケース３４１と第２のインナーケース３５１は防火性プラスチック部材であり、第１のインナーケース３４１と第２のインナーケース３５１の厚さはいずれ２．５ミリメートル以上であり、第１の板金部材３４２と第２の板金部材３５２は板金部材であり且つ第１の板金部材３４２と第２の板金部材３５２の厚さがいずれも０．３ミリメートル以上である。
【０１２４】
以下に、本願実施例に記載の空気調和機１００を説明する。本願実施例に係る空気調和機１００は、ハウジング２、室内熱交換器３、及び室内ファンを含み、ハウジング２内に取り付けキャビティが設けられ、室内熱交換器３は前記取り付けキャビティ内に設けられ、前記室内ファンは、前記取り付けキャビティ内に設けられている。本願の上記実施例に係る電気制御ボックス３０は、前記取り付けキャビティ内に設けられ、且つ前記室内ファンの軸側にある。
【０１２５】
具体的には、電気制御ボックス３０は室内熱交換器３の一方側にあり且つ電気制御ボックス３０の室内熱交換器３に近接する側と室内熱交換器３の形状が一致する。これにより電気制御ボックス３０と室内熱交換器３の干渉を回避することができるだけでなく、さらに電気制御ボックス３０の内部空間をできる限り増加することができ、空気調和機１００の構造合理性及びコンパクト性を向上させ、空気調和機１００の内部空間の利用率を向上させる。
【０１２６】
選択可能に、電気制御ボックス３０は室内熱交換器３の上側にあり、ハウジング２はパネルフレーム及びベースを含み、前記パネルフレームは前記ベースに取り外し可能に接続され、電気制御ボックス３０は前記パネルフレームに取り外し可能に設けられ、室内熱交換器３は前記ベースに取り外し可能に設けられる。これにより電気制御ボックス３０と室内熱交換器３を容易に取り付けて設置し、電気制御ボックス３０と室内熱交換器３の組み立て効率を向上させる。
【０１２７】
本願実施例に係る空気調和機１００は、本願の上記実施例に係る電気制御ボックス３０を利用すれば、防水効果が高く、信頼性が高いなどの利点を有する。
【０１２８】
本願実施例に係る空気調和機１００の他の構成及び操作は当業者にとって既知のものであり、ここで繰り返して詳しく説明しない。
【０１２９】
また、「第１」及び「第２」のような用語は、単に説明の目的で使用されており、相対的な重要性を指示又は示唆したり、当該技術的特徴の数を暗黙的に示したりするものとして理解すべきではない。したがって、「第１」及び「第２」により限定される特徴は、少なくとも１つのこの特徴を明示的に、あるいは黙示的に有してもよい。本開示の説明において、「複数」は、明確で具体的に限定されない限り、少なくとも２つ、たとえば２つ、３つなどを意味する。
【０１３０】
本開示において、明確に指定又は限定しない限り、「取り付け」、「連結」、「接続」、「固定」などの用語は、広義で理解すべきであり、たとえば、明確に限定されない限り、固定して接続してもよく、取り外し可能に接続してもよく、一体に接続してもよく、或いは、機械的又は電気的に接続してもよく、或いは、直接接続してもよく、中間媒体を介した間接的に接続してもよく、２つの要素の内部が連通してもよく、又は２つの要素が互いに作用してもよい。当業者であれば、具体的な状況に応じて上記用語の本開示における具体的な意味を理解し得る。
【０１３１】
以上、本開示の実施例を例示して説明したが、上記実施例は、例示的なものであり、本開示に対する限定として理解してはならず、当業者であれば、本開示の範囲内に上記実施例に対して変化、修正、置換や変形を行えることが理解できる。
【符号の説明】
【０１３２】
空気調和機１００、底面パネル１０、パネルフレーム２０、開口部２０１、挿着孔２１、位置制限部２２、支持ビーム２３、重ね接続溝２３１、電気制御ボックス３０、係止フック３１、第１の重ね接続部３２、第２の重ね接続部３３、本体３４、第１のインナーケース３４１、第１の板金部材３４２、蓋３５、第２のインナーケース３５１、第２の板金部材３５２、電気制御板３６、通線部３７、通線溝３７１、リブ３７２、ねじ柱３８、ねじ穴３９、パネル４０、室内熱交換器５０、吸気グリル６０、通過口１０１、第２の係止突起１１１、第２の折り返し１１２、挿着溝１１３、第２の案内面１１４、固定シート１１５、第１の係止孔１１７、第１の挿着部１１８、第１の係止突起１２１、第１の折り返し１２２、挿着ボス１２３、第１の案内面１２４、取っ手１２５、第２の係止孔１２６、遮蔽部１３０、本体部２００、開口２０２、隔離隙間２０３、サブ領域２０４、第１の留め具２１１、第１の接続面２１２、第１の挿入スロット２１３、隔離リブ２１４、第２の留め具２２１、第２の接続面２２３、折り返し部２２４、止水部２３０、ハウジング２
【図１】
2021535348.tif 000003
【図２】
2021535348.tif 000004
【図３】
2021535348.tif 000005
【図４】
2021535348.tif 000006
【図５】
2021535348.tif 000007
【図６】
2021535348.tif 000008
【図７】
2021535348.tif 000009
【図８】
2021535348.tif 000010
【図９】
2021535348.tif 000011
【図１０】
2021535348.tif 000012
【図１１】
2021535348.tif 000013
【図１２】
2021535348.tif 000014
【図１３】
2021535348.tif 000015
【図１４】
2021535348.tif 000016
【図１５】
2021535348.tif 000017
【図１６】
2021535348.tif 000018
【図１７】
2021535348.tif 000019
【図１８】
2021535348.tif 000020
【図１９】
2021535348.tif 000021
【図２０】
2021535348.tif 000022
【国際調査報告】
2021535348.tif 000023
2021535348.tif 000024
2021535348.tif 000025
2021535348.tif 000026